(57)【要約】【課題】  簡単な操作で、多様性のあるオリジナルの報知パターンを作成できる携帯端末装置、報知パターン作成方法及びプログラムを提供する。【解決手段】  携帯端末装置に加わる重力加速度を検知する加速度センサーと、加速度センサーで検知された重力加速度を基に、携帯端末装置の状態を複数検出し、複数の状態に対して報知動作の設定を行い、報知パターンデータを作成する報知パターンデータ作成手段と、を有する。【選択図】  図２
2007013837.tif 000002
【特許請求の範囲】
【請求項１】
携帯端末装置の状態を複数検出し、前記複数の状態に対して報知動作の設定を行うことにより、報知パターンデータを作成することを特徴とする携帯端末装置。
【請求項２】
携帯端末装置に加わる重力加速度を検知する加速度センサーと、
前記加速度センサーで検知された重力加速度を基に、前記携帯端末装置の状態を複数検出し、前記複数の状態に対して報知動作の設定を行い、報知パターンデータを作成する報知パターンデータ作成手段と、
を有することを特徴とする携帯端末装置。
【請求項３】
前記報知パターンデータに基づいて報知動作を行う報知動作制御手段を有することを特徴とする請求項１又は２記載の携帯端末装置。
【請求項４】
前記報知パターンデータを保存する記憶手段を有することを特徴とする請求項１から３のいずれか１項に記載の携帯端末装置。
【請求項５】
前記報知パターンデータは、バイブレータの振動パターンデータ、ＬＥＤの点灯パターンデータ、メロディの鳴動パターンデータのうち少なくとも１つであることを特徴とする請求項１から４のいずれか１項に記載の携帯端末装置。
【請求項６】
前記携帯端末装置の複数の状態をそれぞれ区別するための閾値を、ユーザーが設定できることを特徴とする請求項１から５のいずれか１項に記載の携帯端末装置。
【請求項７】
前記携帯端末装置の複数の状態にそれぞれ設定される報知動作は、ユーザーが設定できることを特徴とする請求項１から６のいずれか１項に記載の携帯端末装置。
【請求項８】
携帯端末装置の状態を複数検出し、前記複数の状態に対して報知動作の設定を行うことにより、報知パターンデータを作成することを特徴とする報知パターンデータ作成方法。
【請求項９】
携帯端末装置に加わる重力加速度を基に、前記携帯端末装置の状態を複数検出し、前記複数の状態に対して報知動作の設定を行い、報知パターンデータを作成することを特徴とする報知パターンデータ作成方法。
【請求項１０】
前記報知パターンデータに基づいて報知動作を行うことを特徴とする請求項８又は９記載の報知パターンデータ作成方法。
【請求項１１】
前記報知パターンデータを記憶手段に保存することを特徴とする請求項８から１０のいずれか１項に記載の報知パターンデータ作成方法。
【請求項１２】
前記報知パターンデータは、バイブレータの振動パターンデータ、ＬＥＤの点灯パターンデータ、メロディの鳴動パターンデータのうち少なくとも１つであることを特徴とする請求項８から１１のいずれか１項に記載の報知パターンデータ作成方法。
【請求項１３】
前記携帯端末装置の複数の状態をそれぞれ区別するための閾値を、ユーザーが設定できることを特徴とする請求項８から１２のいずれか１項に記載の報知パターンデータ作成方法。
【請求項１４】
前記携帯端末装置の複数の状態にそれぞれ設定される報知動作は、ユーザーが設定できることを特徴とする請求項８から１３のいずれか１項に記載の報知パターンデータ作成方法。
【請求項１５】
携帯端末装置の状態を複数検出し、前記複数の状態に対して報知動作の設定を行うことにより、報知パターンデータを作成する処理を携帯端末装置に実行させるプログラム。
【請求項１６】
携帯端末装置に加わる重力加速度を基に、前記携帯端末装置の状態を複数検出し、前記複数の状態に対して報知動作の設定を行い、報知パターンデータを作成する処理を携帯端末装置に実行させるプログラム。
【請求項１７】
前記報知パターンデータに基づいて報知動作を行う処理を携帯端末装置に実行させる請求項１５又は１６記載のプログラム。
【請求項１８】
前記報知パターンデータを記憶手段に保存する処理を携帯端末装置に実行させる請求項１５から１７のいずれか１項に記載のプログラム。
【請求項１９】
前記報知パターンデータとして、バイブレータの振動パターンデータ、ＬＥＤの点灯パターンデータ、メロディの鳴動パターンデータのうち少なくとも１つを作成する処理を携帯端末装置に実行させる請求項１５から１８のいずれか１項に記載のプログラム。
【請求項２０】
前記携帯端末装置の複数の状態をそれぞれ区別するための閾値をユーザーに設定させる処理を携帯端末装置に実行させる請求項１５から１９のいずれか１項に記載のプログラム。
【請求項２１】
前記携帯端末装置の複数の状態にそれぞれ設定される報知動作をユーザーに設定させる処理を携帯端末装置に実行させる請求項１５から２０のいずれか１項に記載のプログラム。
【発明の詳細な説明】
【技術分野】
【０００１】
本発明は、加速度センサーを用いてオリジナルの報知パターンを作成できる携帯端末装置、報知パターンデータ作成方法及びプログラムに関する。
【背景技術】
【０００２】
従来、携帯電話機等の携帯端末装置において、電話やメールの着信、目覚ましアラーム等のイベントをユーザーに報知する際には、バイブレータ振動、ＬＥＤ点滅、又はメロディ鳴動が用いられており、携帯電話機に予め内蔵されている（又は、外部からダウンロード等により取得された）固定の報知パターンが使用されるのが一般的である。
【０００３】
一方で、バイブレータの振動パターン、ＬＥＤの点滅パターン、又はメロディの鳴動パターン等の報知パターンをユーザー側で作成する場合は、キー操作等の入力が必須であるので、入力操作が面倒であると共に、作成できるパターンの多様性にも限度があった。
【０００４】
従来技術例として、バイブレータのＯＮ／ＯＦＦタイミングを基にバイブレータの振動パターンを作成することにより、バイブレータの振動パターンに特徴を待たせ、利用者が好みの振動パターンを作成することができる「バイブレータ機能付き携帯機とその受信方法」がある（例えば、特許文献１参照）。
【特許文献１】特開２０００−４４８０号公報
【発明の開示】
【発明が解決しようとする課題】
【０００５】
しかし、上記特許文献１の携帯機では、利用者がバイブレータの振動時間と停止時間とを調整し、オリジナルに振動パターンを作成してはいるものの、タイミングデータ等の数字のみを見て振動パターンを作成するしかなく、操作の煩わしさが問題となる。また、パターン作成時においては、ＬＣＤ画面上に表示されているＯＮ／ＯＦＦタイミングデータを頼りにパターンの編集が行われるため、多様性のあるパターンを作成できるものではない。
【０００６】
本発明は、上記事情に鑑みてなされたものであり、簡単な操作で、多様性のあるオリジナルの報知パターンを実現できる携帯端末装置、報知パターンデータ作成方法及びプログラムを提供することを目的とする。
【課題を解決するための手段】
【０００７】
かかる目的を達成するために、請求項１記載の発明は、携帯端末装置の状態を複数検出し、複数の状態に対して報知動作の設定を行うことにより、報知パターンデータを作成することを特徴とする。
【０００８】
請求項２記載の発明は、携帯端末装置に加わる重力加速度を検知する加速度センサーと、加速度センサーで検知された重力加速度を基に、携帯端末装置の状態を複数検出し、複数の状態に対して報知動作の設定を行い、報知パターンデータを作成する報知パターンデータ作成手段と、を有することを特徴とする。
【０００９】
請求項３記載の発明は、請求項１又は２記載の発明において、報知パターンデータに基づいて報知動作を行う報知動作制御手段を有することを特徴とする。
【００１０】
請求項４記載の発明は、請求項１から３のいずれか１項に記載の発明において、報知パターンデータを保存する記憶手段を有することを特徴とする。
【００１１】
請求項５記載の発明は、請求項１から４のいずれか１項に記載の発明において、報知パターンデータは、バイブレータの振動パターンデータ、ＬＥＤの点灯パターンデータ、メロディの鳴動パターンデータのうち少なくとも１つであることを特徴とする。
【００１２】
請求項６記載の発明は、請求項１から５のいずれか１項に記載の発明において、携帯端末装置の複数の状態をそれぞれ区別するための閾値を、ユーザーが設定できることを特徴とする。
【００１３】
請求項７記載の発明は、請求項１から６のいずれか１項に記載の発明において、携帯端末装置の複数の状態にそれぞれ設定される報知動作は、ユーザーが設定できることを特徴とする。
【００１４】
請求項８記載の発明は、携帯端末装置の状態を複数検出し、複数の状態に対して報知動作の設定を行うことにより、報知パターンデータを作成することを特徴とする。
【００１５】
請求項９記載の発明は、携帯端末装置に加わる重力加速度を基に、携帯端末装置の状態を複数検出し、複数の状態に対して報知動作の設定を行い、報知パターンデータを作成することを特徴とする。
【００１６】
請求項１０記載の発明は、請求項８又は９記載の発明において、報知パターンデータに基づいて報知動作を行うことを特徴とする。
【００１７】
請求項１１記載の発明は、請求項８から１０のいずれか１項に記載の発明において、報知パターンデータを記憶手段に保存することを特徴とする。
【００１８】
請求項１２記載の発明は、請求項８から１１のいずれか１項に記載の発明において、報知パターンデータは、バイブレータの振動パターンデータ、ＬＥＤの点灯パターンデータ、メロディの鳴動パターンデータのうち少なくとも１つであることを特徴とする。
【００１９】
請求項１３記載の発明は、請求項８から１２のいずれか１項に記載の発明において、携帯端末装置の複数の状態をそれぞれ区別するための閾値を、ユーザーが設定できることを特徴とする。
【００２０】
請求項１４記載の発明は、請求項８から１３のいずれか１項に記載の発明において、携帯端末装置の複数の状態にそれぞれ設定される報知動作は、ユーザーが設定できることを特徴とする。
【００２１】
請求項１５記載の発明は、携帯端末装置の状態を複数検出し、複数の状態に対して報知動作の設定を行うことにより、報知パターンデータを作成する処理を携帯端末装置に実行させる。
【００２２】
請求項１６記載の発明は、携帯端末装置に加わる重力加速度を基に、携帯端末装置の状態を複数検出し、複数の状態に対して報知動作の設定を行い、報知パターンデータを作成する処理を携帯端末装置に実行させる。
【００２３】
請求項１７記載の発明は、請求項１５又は１６記載の発明において、報知パターンデータに基づいて報知動作を行う処理を携帯端末装置に実行させる。
【００２４】
請求項１８記載の発明は、請求項１５から１７のいずれか１項に記載の発明において、報知パターンデータを記憶手段に保存する処理を携帯端末装置に実行させる。
【００２５】
請求項１９記載の発明は、請求項１５から１８のいずれか１項に記載の発明において、報知パターンデータとして、バイブレータの振動パターンデータ、ＬＥＤの点灯パターンデータ、メロディの鳴動パターンデータのうち少なくとも１つを作成する処理を携帯端末装置に実行させる。
【００２６】
請求項２０記載の発明は、請求項１５から１９のいずれか１項に記載の発明において、携帯端末装置の複数の状態をそれぞれ区別するための閾値をユーザーに設定させる処理を携帯端末装置に実行させる。
【００２７】
請求項２１記載の発明は、請求項１５から２０のいずれか１項に記載の発明において、携帯端末装置の複数の状態にそれぞれ設定される報知動作をユーザーに設定させる処理を携帯端末装置に実行させる。
【発明の効果】
【００２８】
本発明によれば、簡単な操作で、多様性のあるオリジナルの報知パターンを実現することが可能となる。
【発明を実施するための最良の形態】
【００２９】
以下、本発明を実施するための最良の形態について添付図面を参照して詳細に説明する。
【００３０】
本発明の概要について説明する。
本発明は、携帯電話機に加速度センサー（以下、Ｇセンサーという）を搭載し、携帯電話機が上下に振られたことをＧセンサーにより検知し、携帯電話機が上下に振られた動作の様子（状態）をサンプリングし、そのサンプリング結果を基にオリジナルの報知パターンを作成し、保存する。
【００３１】
より詳細に説明すると、本発明は、Ｇセンサーを搭載した携帯電話機であって、Ｇセンサーで検知された重力加速度を基に携帯電話機が上下に振られた状態を複数検知し、その状態をサンプリングする。そして、サンプリングした結果に報知動作（振動、点灯、鳴動）のＯＮ／ＯＦＦ設定を行い、報知パターンデータ（バイブレータの振動パターンデータ、ＬＥＤの点灯パターンデータ、メロディの鳴動パターンデータ）を作成する。また、作成した報知パターンデータをメモリ等の記憶手段に保存する。また、メモリ等の記憶手段から報知パターンデータを読み出し、報知パターンデータに基づいて、報知動作（バイブレータの駆動、ＬＥＤの点灯、メロディの鳴動）を行う。
【００３２】
また、本発明は、携帯電話機が上下に振られた状態について、ユーザーが任意の閾値を設定でき、その閾値に基づいて状態を判断する機能を有する。
【００３３】
また、本発明は、携帯電話機が上下に振られた状態について、携帯電話機の上下状態と、ＯＮ／ＯＦＦの反転をする設定を行い、その設定に従って動作する機能を有する。
【実施例１】
【００３４】
本発明の実施例１について図面を参照して詳細に説明する。図１は、本実施例の携帯電話機の構成を示すブロック図である。
図１に示すように、本実施例の携帯電話機は、制御部５を中心として、無線部２、音声処理部３、音声入出力部４、Ｇセンサー８、バイブレータ９、メモリ１０、表示部１１、操作部１２、を有する。無線部２には電波を送受する送受信アンテナ１が接続されている。
【００３５】
送受信アンテナ１で受信された受信波は、無線部２で復調され、音声処理部３でデコードなどの処理がなされ、得られた受話音が音声入出力部４から出力され、ユーザーに伝えられる。また、音声処理部３及び無線部２は、音声入出力部４から入力された送信すべき音声のエンコードや変調等の処理も行っている。これらの携帯電話機の通信に関する構成及び動作については一般的な従来技術と同様であり、周知であるので詳しい説明は省略する。
【００３６】
制御部５は、携帯電話機の各機能を司る中核部分であり、本実施例では、Ｇセンサー８からの信号を受け取り携帯電話機が振られている様子を検知するＧセンサ制御部６と、バイブレータ９の振動パターンをメモリ１０に記録し、また、メモリ１０からバイブレータ９の振動パターンを読み出して、読み出した振動パターンに基づいてバイブレータ９を駆動するバイブレータ制御部７と、を含んでいる。
【００３７】
Ｇセンサー８は、携帯電話機に加わる重力加速度を検知する加速度センサーであり、Ｇセンサー制御部６に検知信号を送信する。
【００３８】
バイブレータ９は、電話やメールの着信時等にユーザーに通知を行う目的で、携帯電話機の振動を発生させる装置である。
【００３９】
メモリ１０は、メモリダイヤル等を保存する記憶手段であり、本実施例においては、前述の通りオリジナルに作成されたバイブレータの振動パターンを記録する領域としても機能する。
【００４０】
表示部１１及び操作部１２は、ユーザーが入力した内容を表示する機能を有する。
【００４１】
本実施例における、バイブレータのオリジナル振動パターン作成方法（報知パターン作成方法）を説明する。なお、以下に説明する携帯電話機の動作は、プログラム制御により行われる。
【００４２】
本実施例の携帯電話機は、Ｇセンサーを搭載し、バイブレータのオリジナル振動パターン作成中にユーザーが携帯電話機を上下に振ることで、その様子をＧセンサーが携帯電話機の状態を検知し、サンプリングを行い、サンプリングデータを基にバイブレータ振動パターンを作成して記録する。また、記録した振動パターンに基づきバイブレータを駆動する。
【００４３】
バイブレータのオリジナル振動パターン作成の方法を図２に示す。
図２（ａ）において、Ａ及びＢはＧセンサーを搭載した本実施例の携帯電話機である。図２（ａ）では、携帯電話機Ａ及びＢは同一のものであり各状態別の様子として記述している。本実施例のバイブレータのオリジナル振動パターン作成方法は、上述の通り携帯電話機を上下に振ることで実現するので、図２（ａ）において、携帯電話機が上に振られた状態を〈状態１〉とし、携帯電話機が下に振られた状態を〈状態２〉としている。
【００４４】
ユーザーによって携帯電話機が上下に振られた場合、携帯電話機に搭載されたＧセンサー８は重力加速度の検知信号をＧセンサー制御部６へ送る。Ｇセンサー制御部６は、受信した検知信号を基に、携帯電話機の状態（本実施例では、状態１と状態２）を検出し、状態１を保つ時間と、状態２を保つ時間とをサンプリングし、サンプリング結果に基づいてバイブレータのＯＮ／ＯＦＦの設定を行い（図４（ｂ）参照）、バイブレータのオリジナル振動パターンを作成する。サンプリングした波形は、図２（ｂ）に示す波形となる。そして、図３（ａ）及び（ｂ）に示すように携帯電話機のメモリ１０に保存される。
【００４５】
バイブレータの振動動作については、図４（ａ）に示すように、バイブレータ制御部７が、サンプリング結果により作成された振動パターンをメモリ１０から読み出し、読み出した振動パターンにおけるバイブレータのＯＮ／ＯＦＦの設定に基づいてバイブレータの振動を行う。本実施例では、例えば、図４（ｂ）に示すように、状態１を保つ時間の間はバイブレータを停止（ＯＦＦ）し、状態２を保つ時間の間はバイブレータを駆動（ＯＮ）する設定となっている。
【００４６】
なお、本実施例において、携帯電話機の状態１と状態２とのどちらをバイブレータの停止と駆動に割り当てるかについては、ユーザー設定により変更できるようにしてもよい。
【００４７】
また、本実施例において、携帯電話機の状態１と状態２を区別する閾値については、ユーザーが直感的であると感じる値に設定変更できるようにしてもよい。
【００４８】
以上説明したように、本実施例によれば、バイブレータのオリジナル振動パターン作成において、ユーザーが直感的にパターンを作成できるので、多様性のある振動パターンを作成できる。その理由は、ユーザーが携帯電話機を振るという動作をサンプリングし、サンプリングしたオリジナルのパターンデータに基づいてバイブレータを駆動するからである。
【００４９】
また、本実施例によれば、バイブレータのオリジナル振動パターン作成において、ユーザーがキー操作の煩わしさから開放される。その理由は、バイブレータのパターンをキー操作により入力することではなく、携帯電話機を振るという動作で入力できるからである。
【実施例２】
【００５０】
上記実施例１では、報知パターンの一例としてバイブレータの振動パターンを作成するものとしたが、本実施例では、上記実施例１と同様に、図２（ａ）に示す状態１と状態２との様子をサンプリングしたデータを用いることにより、着信を知らせるために携帯電話機に搭載されているＬＥＤのオリジナル点滅パターンの作成及び点灯を行うようにしてもよい。また、同様に、着信を知らせるために携帯電話機が鳴動する着信メロディのオリジナル鳴動パターンの作成及び鳴動を行うようにしてもよい。よって、本実施例によれば、ＬＥＤ点滅やメロディ鳴動のパターンについても、従来からのキー操作による入力から、より直感的に入力する方法に改善することができる。
【００５１】
上記実施例１及び２において、バイブレータの振動パターン、ＬＥＤの点滅パターン、メロディの鳴動パターンのうち少なくとも２つ以上をそれぞれ組み合わせて作成するようにしてもよい。
【００５２】
以上、本発明の実施例について説明したが、上記実施例に限定されるものではなく、その要旨を逸脱しない範囲において種々の変形が可能である。
【産業上の利用可能性】
【００５３】
本発明は、所定のパターンを有するデータの作成に利用可能である。
【図面の簡単な説明】
【００５４】
【図１】本発明の実施例である携帯電話機の構成を示すブロック図である。
【図２】本発明の実施例である携帯電話機のバイブレータ振動パターンの作成を示す図である。
【図３】本発明の実施例である携帯電話機のバイブレータ振動パターンの保存を示す図である。
【図４】本発明の実施例である携帯電話機のバイブレータ振動を示す図である。
【符号の説明】
【００５５】
１    送受信アンテナ
２    無線部
３    音声処理部
４    音声入出力部（報知手段の一例）
５    制御部
６    Ｇセンサー制御部（報知パターンデータ作成手段の一例）
７    バイブレータ制御部（報知動作制御手段の一例）
８    Ｇセンサー（加速度センサー）
９    バイブレータ（報知手段の一例）
１０    メモリ（記憶手段の一例）
１１    表示部（報知手段の一例）
１２    操作部
【図１】
2007013837.tif 000003
【図２】
2007013837.tif 000004
【図３】
2007013837.tif 000005
【図４】
2007013837.tif 000006